(57)【要約】【課題】自動車のインストルメントパネルに組込まれるディスクプレーヤであってチェンジャ機構を有するディスクプレーヤにおいて、とくにユーザーに対してＣＤのローディング可能なタイミングを分り易く知らせるようにしたディスクプレーヤを提供する。【解決手段】ディスクプレーヤ２０のフロントパネルに設けられている表示部２５によって、アニメーション動作等の動きのある動作によって光ディスク２２の装着が可能であることを表示して知らせる。【選択図】  図１１
2004206808.tif 000002
【特許請求の範囲】
【請求項１】
ディスク状記録媒体を所定の位置に装着して読取り手段によって信号を読取って再生するディスク式再生装置において、
前記ディスク状記録媒体の装着のための挿入部の近傍に設けられている表示手段と、
前記ディスク状記録媒体の装着が可能になったときに前記表示手段が動きのある表示を行なうように制御する制御手段と、
を具備するディスク式再生装置。
【請求項２】
複数のディスク状記録媒体を収納するように複数の収納部を有し、しかも前記複数の収納部に収納されているディスク状記録媒体の内から任意のディスク状記録媒体を選択して再生するディスクチェンジャを具備し、空の収納部がディスク状記録媒体の挿入部と対応する位置に移動してディスク状記録媒体の挿入が可能になったときに前記表示部が動きのある表示を行なうことを特徴とする請求項１に記載のディスク式再生装置。
【請求項３】
自動車のインストルメントパネルに組込まれ、オーディオ信号を記憶したディスク状記録媒体を再生することを特徴とする請求項１に記載のディスク式再生装置。
【請求項４】
前記表示手段によって表示される表示が複数の線から構成され、該線の延びる方向と直行する方向に移動することによって動きのある表示を行なうことを特徴とする請求項１に記載のディスク式再生装置。
【請求項５】
前記表示手段によって表示される表示が前記表示手段のアニメーション動作によって動きのある表示を行なうことを特徴とする請求項１に記載のディスク式再生装置。
【請求項６】
横方向に流れる線によって動きのある表示が行なわれることを特徴とする請求項１に記載のディスク式再生装置。
【請求項７】
縦方向に流れる線によって動きのある表示が行なわれることを特徴とする請求項１に記載のディスク式再生装置。
【請求項８】
上下に動く線によって動きのある表示が行なわれることを特徴とする請求項１に記載のディスク式再生装置。
【請求項９】
左右に動く線によって動きのある表示が行なわれることを特徴とする請求項１に記載のディスク式再生装置。
【請求項１０】
縦方向の線と横方向の線とがクロスして動いて動きのある表示が行なわれることを特徴とする請求項１に記載のディスク式再生装置。
【請求項１１】
移動するキャラクター表示によって動きのある表示が行なわれることを特徴とする請求項１に記載のディスク式再生装置。
【請求項１２】
横方向に流れる文字によって動きのある表示が行なわれることを特徴とする請求項１に記載のディスク式再生装置。
【請求項１３】
縦方向に流れる文字によって動きのある表示が行なわれることを特徴とする請求項１に記載のディスク式再生装置。
【請求項１４】
何も表示されない状態から湧出すように文字を出現させることによって動きのある表示が行なわれることを特徴とする請求項１に記載のディスク式再生装置。
【請求項１５】
左端または右端から文字が１つずつ現われてこれらの文字が移動した後に所定の文字列を形成することによって動きのある表示が行なわれることを特徴とする請求項１に記載のディスク式再生装置。
【請求項１６】
ディスク状記録媒体を所定の位置に装着して読取り手段によって信号を読取って再生するディスク式再生装置において、
ディスク状記録媒体の挿入部の近傍に設けられている表示手段が動きのある表示によって前記ディスク状記録媒体の挿入が可能になったときに表示を行なうことを特徴とするディスク式再生装置の表示方法。
【請求項１７】
内蔵されているディスクチェンジャが挿入が可能な状態に変化したときに動きのある表示を行なうことを特徴とする請求項１６に記載のディスク式再生装置の表示方法。
【発明の詳細な説明】
【０００１】
【発明の属する技術分野】
本発明はディスク式再生装置とその表示方法に係り、とくにディスク状記録媒体を所定の位置に装着して読取り手段によって信号を読取って再生するディスク式再生装置およびその表示方法に関する。
【０００２】
【従来の技術】
例えばポリカーボネート樹脂から成る円板の表面に形成された記録層に所定の信号をその周方向に沿って書込んだＣＤ（Ｃｏｍｐａｃｔ  Ｄｉｓｃ）等の光ディスクが記録媒体の１種として広く用いられている。このような光ディスクをターンテーブル上において所定の回転数で回転させるとともに、光ピックアップを上記ディスクに対して半径方向に移動させることによって、光ディスクに書込まれている信号を光ピックアップで読出して再生することができる。このような光ディスクはＣＤ、ＣＤ−ＲＯＭ、ＤＶＤ（Ｄｉｇｉｔａｌ  ＶｅｒｓａｔｉｌｅＤｉｓｃ）等として広く供給されている。
【０００３】
例えば自動車のインストルメントパネルにはディスクプレーヤが組込まれており、このディスクプレーヤによってＣＤ等の光ディスクを再生することによって、音楽を聴きながらドライブできるようになる。ここではディスクプレーヤがカーオーディオ装置の主要部を構成する。またこのようなカーオーディオ装置用のディスクプレーヤとして、ディスクチェンジャを内蔵したものを用いると、複数枚のＣＤを予め装着しておき、これらを順次再生することによって、その度毎に光ディスクを装着することなく長時間にわたって音楽の演奏を行なうことが可能になる。
【０００４】
【発明が解決しようとする課題】
カーオーディオ用のディスクプレーヤであってディスクチェンジャを備えるディスクプレーヤは一般にスロットローディング方式を採用しており、このディスクプレーヤのフロントパネルに形成されたスロットから成る挿入口の部分に光ディスクを挿入することによって、内部のローディング機構が作動してローディング動作が開始されるようになっている。しかるにとくにマルチディスクプレーヤであって例えば６枚の光ディスクを収納可能なタイプにおいては、一般的にユーザーがまずローディング開始のための釦を押して次に内部のローディング機構がローディング可能状態になるのを待つ。そして可能状態に至った後にユーザーは実際に光ディスクを挿入口に挿入すると、ローディング動作が開始される。
【０００５】
ところが上記ローディング動作が開始されるまでの準備動作は内蔵されているディスクチェンジャの機構の動作であるために外部からは確認することができない。そこでユーザーに対してローディング可能状態になったことを知らせることが必要になる。ところが表示部に例えば「Ｐｌｅａｓｅ  ｌｏａｄ」等の表示を行なっても、単なるこのような表示だけではユーザーにとって分り難い問題がある。また通常ローディング可能状態のまま一定時間内にディスクが挿入されない場合に、普通は初期状態に戻るような設定になっているが、ローディングの機会を失ったユーザーが再度ローディング釦を押さなければならないという欠点がある。
【０００６】
本発明はこのような問題点に鑑みてなされたものであって、とくにディスクチェンジャを内蔵する場合のようにローディング可能状態になるまでに所定の準備時間を必要とするディスク式再生装置において、ローディング可能状態になったときの表示部の表示を工夫することによってユーザーに対して分り易くし、これによって操作性を改善するようにしたディスク式再生装置とその表示方法を提供することを目的とする。
【０００７】
【課題を解決するための手段】
本願の主要な発明は、
ディスク状記録媒体を所定の位置に装着して読取り手段によって信号を読取って再生するディスク式再生装置において、
前記ディスク状記録媒体の装着のための挿入部の近傍に設けられている表示手段と、
前記ディスク状記録媒体の装着が可能になったときに前記表示手段が動きのある表示を行なうように制御する制御手段と、
を具備するディスク式再生装置に関するものである。
【０００８】
ここで複数のディスク状記録媒体を収納するように複数の収納部を有し、しかも前記複数の収納部に収納されているディスク状記録媒体の内から任意のディスク状記録媒体を選択して再生するディスクチェンジャを具備し、空の収納部がディスク状記録媒体の挿入部と対応する位置に移動してディスク状記録媒体の挿入が可能になったときに前記表示部が動きのある表示を行なうことが好ましい。また自動車のインストルメントパネルに組込まれ、オーディオ信号を記憶したディスク状記録媒体を再生することが好適である。また前記表示手段によって表示される表示が複数の線から構成され、該線の延びる方向と直行する方向に移動することによって動きのある表示を行なうことが好ましい。また前記表示手段によって表示される表示が前記表示手段のアニメーション動作によって動きのある表示を行なうようにすることが好適である。
【０００９】
またここで横方向に流れる線によって、縦方向に流れる線によって、上下に動く線によって、左右に動く線によって、縦方向の線と横方向の線とがクロスして動いて、移動するキャラクター表示によって、横方向に流れる文字によって、縦方向に流れる文字によって、何も表示されない状態から湧出すように文字を出現させることによって、あるいは左端または右端から文字が１つずつ現われてこれらの文字が移動した後に所定の文字列を形成することによって、動きのある表示が行なわれるようにすることが好適である。
【００１０】
表示方法に関する主要な発明は、
ディスク状記録媒体を所定の位置に装着して読取り手段によって信号を読取って再生するディスク式再生装置において、
ディスク状記録媒体の挿入部の近傍に設けられている表示手段が動きのある表示によって前記ディスク状記録媒体の挿入が可能になったときに表示を行なうことを特徴とするディスク式再生装置の表示方法に関するものである。なおここで内蔵されているディスクチェンジャが挿入が可能な状態に変化したときに動きのある表示を行なうようにすることが好適である。
【００１１】
本願に含まれる発明の好ましい態様は、ローディング可能の指示を動きのある表示で行なうようにしたディスクプレーヤに関する。このようなディスクプレーヤによれば、ローディング可能のタイミングが分り易いばかりでなく、分り易いことによってとくに車載用のディスクプレーヤにおいては安全性が改善されることになる。
【００１２】
【発明の実施の形態】
図１は本発明の一実施の形態に係るディスクプレーヤを装着した自動車のインストルメントパネル１０を示している。インストルメントパネル１０の左側の部分であって運転席の前方側の部分にはメータ取付け部１１が設けられ、このメータ取付け部１１にエンジンの回転数を表示する回転計１２、車速を表示する速度計１３、燃料の残量を表示する燃料計１４、エンジンの冷却水の温度を表示する温度計１５等の所要のメータがそれぞれ配置されている。
【００１３】
上記インストルメントパネル１０のメータ取付け部１１の左側であって運転席と助手席の中間と対応する位置にはディスプレイ１８が取付けられている。ディスプレイ１８はカーナビゲーション装置の表示手段を構成している。そしてその下側にコントロールパネル１９が配されており、このコントロールパネル１９によって車両用エアコンの制御を行なうようにしている。コントロールパネル１９の下側にはディスクプレーヤ２０が組込まれており、このディスクプレーヤ２０の上部に設けられている横長のスロット２１を通して光ディスク２２（図２参照）を挿入することによって、この光ディスク２２に書込まれているオーディオ信号を再生し、車内で音楽を聴くことが可能になる。
【００１４】
図２はとくにＣＤ等のディスク状記録媒体を再生するディスクプレーヤ２０を示しており、このディスクプレーヤはそのフロントパネル上であって上記横長のスロット２１の下側に表示部２５が設けられており、この表示部２５によってカーラジオの所定の機能の表示を行なうようにしている。あるいはまた光ディスク２２の挿入動作のために必要な表示が行なわれるようになっている。そして上記表示部２５の下側には操作つまみ２６と操作釦２７とが取付けられている。
【００１５】
図３はとくにディスクプレーヤ２０の全体の構成を示すものであって、このディスクプレーヤ２０はＣＰＵ３１を備え、このＣＰＵ３１にはメモリ３２が接続されている。さらにＣＰＵ３１には入力装置３３が設けられている。この入力装置３３の操作部が上記フロントパネルの操作つまみ２６および操作釦２７である。またこのＣＰＵ３１には再生部３４が設けられ、この再生部３４で光ディスク２２の再生が行なわれる。さらにディスクプレーヤ２０はチェンジャ機構３５を備え、このチェンジャ機構３５によって複数の光ディスク２２の選択を行なうようにしている。
【００１６】
図４は上記ディスクプレーヤ２０の再生部３４の構成を示している。この再生部３４はターンテーブル３７を備え、モータ３８によって駆動されるようになっている。そして上記ターンテーブル３７上にスロット２１を通して挿入された光ディスク２２が載置され、回転駆動されるようになっている。またモータ３８はＣＰＵ３９によって制御されるようになっている。上記ＣＰＵ３９にはメモリ４０が接続されている。またこの再生部３４は光ピックアップ４１を備え、この光ピックアップ４１が回転する光ディスク２２に対して半径方向に移動することによって、この光ディスク２２の表面に書込まれた信号を読出すようにしている。光ピックアップ４１で読出された信号はＤＳＰ（Ｄｉｇｉｔａｌ  ＳｉｇｎａｌＰｒｏｃｅｓｓｏｒ）４２によって信号処理された後に復調器４３によって復調され、オーディオ出力あるいはビデオ出力として出力機器に供給される。
【００１７】
次にディスクプレーヤ２０に内蔵されているチェンジャ機構３５の構成を図５〜図９によって説明する。チェンジャ機構３５は偏平な直方体状をなすシャーシ４７を備えるとともに、このシャーシ４７上であってフロントパネル側に片寄って上下に６段にトレー４８が載置されており、これによって６枚の光ディスク２２の装着を可能にしている。そしてトレー４８に対して光ディスク２２を挿入する部分に開口が形成されたシャッタ板４９が設けられている。そして上記シャッタ板４９の内側には上下一対のローディングローラ５１、５２が設けられ、これらのローディングローラ５１、５２によって任意のトレー４８に対する光ディスク２２の挿入あるいは光ディスク２２の排出を可能にしている。
【００１８】
またこのチェンジャ機構３５の背面側の部分には支持アーム５５と押えアーム５６とが上下にほぼ重合うように配されている。そして支持アーム５５の先端側の上面には上記ターンテーブル３７が取付けられるとともに、さらに支持アーム５５上には光ピックアップ４１が載置されており、支持アーム５５の上面においてその長さ方向に移動可能になっている。これに対して押えアーム５６はその先端側の下面にチャック５７を備えている。チャック５７はターンテーブル３７とともに選択された所定の光ディスク２２を上下から挟着して再生動作を行なうようになっている。
【００１９】
上記チェンジャ機構３５の動作の概略を説明する。トレー４８に対して光ディスク２２を装着する場合およびトレー４８から光ディスク２２を排出する場合には、図７に示すように支持アーム５５と押えアーム５６とが光ディスク２２の収納空間に対して背面側に退避している。このような状態で、シャーシ４７の両側に設けられているカム機構によって所定のトレー４８がスロット２１と対応する位置に昇降動作させる。
【００２０】
このような状態で表示部２５が挿入可能な表示を行なうと、ユーザーが光ディスク２２をスロット２１を通して上下一対のローディングローラ５１、５２間に図６に示すように挿入する。するとローディングローラ５1 、５２が光ディスク２２を引込むように回転し、これによって所定のトレー、例えば図６に示すように上から２番目のトレー４８上に光ディスク２２が載置される。このようにして複数段に積重なるように配されているトレー４８の内の任意のトレー上に光ディスク２２を載置することになる。
【００２１】
次に所定の光ディスク２２の演奏動作について説明する。このディスクプレーヤ２０の操作釦２７の選択動作によって、シャーシ４７の両側のカム機構によってトレー４８が図８に示すように上下方向に移動されるとともに、所望のトレー４８が演奏可能な高さに移動し、これに対してその上側および下側のトレーは演奏する光ディスク２２を載置したトレーに対して上下に離間される。このような状態において図９に示すように、支持アーム５５と押えアーム５６とがディスク収納空間側に回動し、選択された光ディスク２２を下側からターンテーブル３７で支えるとともに、押えアーム５６に設けられているチャック５７が光ディスク２２の中心部を上から押える。このような状態でモータ３８がターンテーブル３７を所定の回転数で駆動するとともに、支持アーム５５上の光ピックアップ４１が光ディスク２２の半径方向に移動することによって、この光ディスク２２に書込まれている信号を再生する。
【００２２】
このように本実施の形態のディスクプレーヤ２０はチェンジャ機構３５を内蔵し、複数枚の光ディスク２２の再生を可能にしている。従っていきなり光ディスク２２を挿入しても、直ぐにローディング動作が行なわれるわけではなく、チェンジャ機構３５が光ディスク２２をローディング可能な状態になるまで光ディスク２２のローディング動作が行なわれない。そしてこのような待機期間に表示部２５が図１０に示すように所定の表示を順次行なう。
【００２３】
ローディング釦を押すとステップ６１でチェンジャ機構３５にディスクが一杯かどうかの判断を行なうとともに、一杯の場合にはＤｉｓｃ  Ｆｕｌｌの表示が行なわれ、前のディスクに戻るようになっている。これに対してステップ６１でディスクが一杯でないと判断された場合にはＰｌｅａｓｅ  Ｗａｉｔの表示が行なわれる。なおこの表示は後述するアニメーション動作によって行なわれ、同時に空のトレーの番号の点滅が行なわれる。
【００２４】
次にステップ６２でＰｒｅｓｅｔ釦を押したかどうかの判断が行なわれる。Ｐｒｅｓｅｔ釦を押したと判断された場合にはチェンジャ機構３５がローディング準備ＯＫかどうかの判断をステップ６３で行なう。そしてローディング準備がＯＫの場合にはＰｌｅａｓｅ  Ｌｏａｄの表示をアニメーション動作によって行なう。この後にＰｒｅｓｅｔ釦が押されると（ステップ６４）、ステップ６５でＣＤが挿入されたかどうかの判断が行なわれる。そしてＣＤが挿入されない状態で１５秒経過した場合には再びステップ６４に戻る。１５秒経過した場合には前のディスクに戻る。
【００２５】
ステップ６５でＣＤを挿入した場合にはローディング表示が点滅によって行なわれる。そしてこの後にステップ６６でローディングが完了したかどうかの判断を行なうとともに、ローディングが完了した場合には最後に挿入したＣＤの再生を行なう。
【００２６】
ステップ６２およびステップ６４でＮＯの判断がなされた場合には、ステップ６８に移行する。ここではスロットにＣＤがあるかないかの判断を行なう。ＣＤがある場合にはＰｌｅａｓｅ  Ｗａｉｔの表示をアニメーション動作によって行ない、選択されたディスク番号の点滅動作を行なう。そしてこの後にステップ６２に戻る。なおステップ６８でＮＯと判断された場合には直接ステップ６２に戻る。
【００２７】
図１１は図１０に示すフローチャートに基いてなされる表示部２５の表示の一例を示している。例えばカーラジオを聴いている状態でローディング釦を押すと、図１１Ａに示すようにＰｌｅａｓｅ  Ｗａｉｔの表示が行なわれる。そしてこの後にチェンジャ機構３５の準備ができる直前またはできたところで図１１Ｂに示すように左から右に動く線によって動きのある表示が行なわれる。図１１Ｃおよび図１１Ｄはローディング準備完了状態での待機時における表示部２５の表示の変化を示している。ここでは縦方向の線がゆっくりと右側に流れながら表示を行なうようになっている。また図１１Ｅはローディング待受け状態を示しており、このような状態においてユーザーは光ディスク２２のローディングを行なうことができる。
【００２８】
次に表示部２５の別の動作を図１２によって説明する。図１２はＣＤ等の光ディスク２２の演奏中にメニュー釦によってＳｈｕｆｆｌｅモードの選択を行なった場合の表示動作を示している。なおＳｈｕｆｆｌｅモードとは、演奏される曲の順番がランダムであってその度ごとに変化するモードである。モード選択後再度メニュー釦を押すと、そのまま初期画面、すなわちトラックＮｏ．表示画面に戻るが、操作せずに一定時間経過した場合であってタイムアウトをした場合には、動きのある動作をさせた後初期画面に戻る。従ってユーザーに対して表示モードが変ったことを知らせる効果がある。
【００２９】
図１２Ａはディスク再生時におけるトラックの表示を示しており、ここではＴｒａｃｋ１が表示される。次にメニュー釦によってＳｈｕｆｆｌｅモードを選択すると図１２Ｂに示すようにＳｈｕｆｆｌｅ  Ｏｆｆの表示が出る。そして操作のないまま一定時間経過すると図１２Ｃに示すように左から右に動く線による動きのある表示が行なわれ、初期画面に戻る。ここでタイムアウトをすると図１２Ｃおよび図１２Ｄに示すように線が左から右に順次移動するようになり、このような移動する表示によって表示モードの変更を知らせることになる。なおこの後に図１２Ａに示す初期画面に戻る。
【００３０】
表示部２５による動きのある表示としては、必ずしも図１１あるいは図１２に示すような表示に限られることなく、各種の変更が可能である。図１３および図１４はこのような各種の移動表示、すなわちアニメーション表示の例を示している。例えば図１３Ａに示すように左あるいは右から、右あるいは左に流れる線によって構成することができる。また図１３Ｂに示すように上または下から、下または上に流れる線によって構成してもよい。また図１３Ｃに示すように上下に動く線によって表示を行なうようにしてもよい。また図１３Ｄに示すように左右に動く線によって表示を行なうこともできる。また図１３Ｅに示すように縦方向に動く線と横方向に動く線とをクロスして表示してもよい。また図１３Ｆに示すように移動するキャラクタによって表示を行なうようにしてもよい。
【００３１】
あるいはまた図１４Ａに示すように左あるいは右から、右あるいは左に流れる文字によって表示を行なうこともできる。あるいはまた図１４Ｂに示すよう上から下に流れる文字によって表示を行なうようにしてもよい。あるいはまた図１４Ｃに示すように下から上に流れる文字によって表示を行なうこともできる。また図１４Ｄに示すように文字をジワっと出すことにより、何も表示されない状態から湧出すように文字を出現させることによって動きのある表示を行なうようにしてもよい。さらには図１４Ｅに示すように左あるいは右から右あるいは左に１文字ずつ流れて文字が作られるようにしてもよい。
【００３２】
本実施の形態のディスクプレーヤ２０は６枚のＣＤ等の光ディスク２２を選択して再生可能なチェンジャ機構３５を内蔵し、ディスクの挿入可能状態を表示する表示部２５を備えるディスクチェンジャである。そして表示部２５による表示を分り易くするために、ディスクローディング可能状態の指示を例えば図１１に示すように動きのある表示によって行なうようにしている。従ってユーザーはディスクローディング可能な状態を認識するのが容易になる。とくに車載等のような表示部が見難いィスクプレーヤにおいて効果がある。すなわちこのようなディスクプレーヤによればローディング可能のタイミングが分り易い。また分り易いことによってとくに車載用のディスクプレーヤにおいては、運転の安全性が向上することになる。
【００３３】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態はカーオーディオ用のディスクプレーヤに関するものであるが、本願発明は必ずしもカーオーディオ用のディスクプレーヤに限られるものではなく、その他各種のディスクプレーヤに広く適用可能である。
【００３４】
【発明の効果】
本願の主要な発明は、ディスク状記録媒体を所定の位置に装着して読取り手段によって信号を読取って再生するディスク式再生装置において、ディスク状記録媒体の装着のための挿入部の近傍に設けられている表示手段と、ディスク状記録媒体の装着が可能になったときに表示手段が動きのある表示を行なうように制御する制御手段と、を具備するようにしたものである。
【００３５】
従ってこのようなディスク式再生装置によれば、ディスク状記録媒体の装着が可能な状態になったときに表示手段が動きのある表示を行なうことになり、このためにディスク状記録媒体の装着のタイミングが非常に分り易くなって操作性が改善されることになる。
【００３６】
表示方法に関する主要な発明は、ディスク状記録媒体を所定の位置に装着して読取り手段によって信号を読取って再生するディスク式再生装置において、ディスク状記録媒体の挿入部の近傍に設けられている表示手段が動きのある表示によってディスク状記録媒体の挿入が可能になったときに表示を行なうようにしたものである。
【００３７】
従ってこのような表示方法によれば、表示手段が動きのある表示によってディスク状記録媒体の挿入が可能であることを知らせる表示を行なうことになり、非常に見易い動きのある表示によってディスク状記録媒体が挿入可能であることを知らせることが可能になる。
【図面の簡単な説明】
【図１】ディスクプレーヤを組込んだ自動車のインストルメントパネルの正面図である。
【図２】ディスクプレーヤの要部斜視図である。
【図３】ディスクプレーヤのシステム構成を示すブロック図である。
【図４】ディスクプレーヤの再生部のシステム構成を示すブロック図である。
【図５】ディスクプレーヤのチェンジャ機構の要部斜視図である。
【図６】同チェンジャ機構の要部縦断面図である。
【図７】チェンジャ機構の内部を示す要部平面図である。
【図８】演奏状態におけるチェンジャ機構の縦断面図である。
【図９】同要部平面図である。
【図１０】表示部の表示動作を示すフローチャートである。
【図１１】表示部による表示の一例を示す正面図である。
【図１２】表示部による表示の別の例を示す正面図である。
【図１３】アニメーション動作の例を示す正面図である。
【図１４】さらに別のアニメーション動作の例を示す正面図である。
【符号の説明】
１０‥‥インストルメントパネル、１１‥‥メータ取付け部、１２‥‥回転計、１３‥‥速度計、１４‥‥燃料計、１５‥‥温度計、１８‥‥ディスプレイ、１９‥‥コントロールパネル、２０‥‥ディスクプレーヤ、２１‥‥スロット、２２‥‥光ディスク、２５‥‥表示部、２６‥‥操作つまみ、２７‥‥操作釦、３１‥‥ＣＰＵ、３２‥‥メモリ、３３‥‥入力装置、３４‥‥再生部、３５‥‥チェンジャ機構、３７‥‥ターンテーブル、３８‥‥モータ、３９‥‥ＣＰＵ、４０‥‥メモリ、４１‥‥光ピッアップ、４２‥‥ＤＳＰ、４３‥‥復調器、４７‥‥シャーシ、４８‥‥トレー、４９‥‥シャッタ板、５１‥‥ローディングローラ（上）、５２‥‥ローディングローラ（下）、５５‥‥支持アーム、５６‥‥押えアーム、５７‥‥チャック、６１〜６８‥‥ステップ
【図１】
2004206808.tif 000003
【図２】
2004206808.tif 000004
【図３】
2004206808.tif 000005
【図４】
2004206808.tif 000006
【図５】
2004206808.tif 000007
【図６】
2004206808.tif 000008
【図７】
2004206808.tif 000009
【図８】
2004206808.tif 000010
【図９】
2004206808.tif 000011
【図１０】
2004206808.tif 000012
【図１１】
2004206808.tif 000013
【図１２】
2004206808.tif 000014
【図１３】
2004206808.tif 000015
【図１４】
2004206808.tif 000016